(57)【要約】【課題】効率よく空気調和を行うことが可能な空気調和装置を提供する。【解決手段】空気調和装置は、利用側熱交換器を含む冷媒回路、熱源側ファン、利用側熱交換器を通過する気流を生成する利用側ファン、及びこれらを収容するケーシングを有する、空調対象空間の外に配置される第１ユニットと、空調対象空間の壁に設置される第２ユニット２００と、を備える。第２ユニットは、利用側ファンの生成する気流の方向における利用側熱交換器の風上側の空間と連通する空調対象空間の空気の吸込口２２０と、利用側ファンの生成する気流の方向における利用側熱交換器の風下側の空間と連通する空調対象空間への空気の吹出口２１０と、が形成されている本体２７０を有する。吹出口は、第２ユニットが設置されている空調対象空間の壁に正対して本体を見た時に、上下左右の４方向のうち少なくとも２方向に空気が吹き出されるように形成されている。【選択図】図５
2020063860.tif 000002
【特許請求の範囲】
【請求項１】
圧縮機（２０）、熱源側熱交換器（４０）、及び利用側熱交換器（５０）を含む冷媒回路（１０）と、前記熱源側熱交換器を通過する気流を生成する熱源側ファン（６０）と、前記利用側熱交換器を通過する気流を生成する利用側ファン（７０）と、前記冷媒回路、前記熱源側ファン及び前記利用側ファンを収容するケーシング（１１０）と、を有する、空調対象空間（Ｓ１）の外に配置される第１ユニット（１００）、を備えた空気調和装置であって、
前記利用側ファンの生成する気流の方向における前記利用側熱交換器の風上側の空間（Ａ１）と連通する前記空調対象空間の空気の吸込口（２２０，２２０’，２２０”）と、前記利用側ファンの生成する気流の方向における前記利用側熱交換器の風下側の空間（Ａ２）と連通する前記空調対象空間への空気の吹出口（２１０，２１０’，２１０”）と、が形成されている本体（２７０，２７０’，２７０”）を有し、前記空調対象空間の壁（Ｗ）に設置される第２ユニット（２００，２００’，２００”）、を更に備え、
前記本体の前記吹出口は、前記第２ユニットが設置されている前記空調対象空間の壁に正対して前記本体を見た時に、上下左右の４方向のうち少なくとも２方向に空気が吹き出されるように形成されている、
空気調和装置（１）。
【請求項２】
前記本体の前記吹出口は、前記第２ユニットが設置されている前記空調対象空間の壁に正対して前記本体を見た時に、上下左右の４方向のうち少なくとも３方向に空気が吹き出されるように形成されている、
請求項１に記載の空気調和装置。
【請求項３】
前記本体の前記吹出口は、少なくとも上方向及び下方向に空気が吹き出されるように形成されている、
請求項１又は請求項２に記載の空気調和装置。
【請求項４】
前記本体の前記吹出口は、前記本体の少なくとも２つの側面に形成されている、
請求項１から３のいずれか１項に記載の空気調和装置。
【請求項５】
前記本体の前記吸込口は、前記第２ユニットが設置されている前記空調対象空間の壁に正対して前記本体を見た時に、上下左右の４方向のうち少なくとも２方向から前記本体に空気が吸い込まれるように形成されている、
請求項１から４のいずれか１項に記載の空気調和装置。
【請求項６】
前記空気調和装置は、少なくとも前記空調対象空間の冷房を行う冷房運転モードを運転モードとして有し、
前記本体の前記吹出口は、下方向に空気を吹き出す第１吹出口（２１０Ｄ，２１０Ｄ’，２１０Ｄ”）を含み、
前記第２ユニットは、前記第１吹出口からの空気の吹き出しを停止する第１吹出停止機構（２３０Ｄ）を有し、
前記空気調和装置が前記冷房運転モードで運転を行う時に、前記第１吹出停止機構は、前記第１吹出口からの空気の吹き出しを停止する、
請求項１から５のいずれか１項に記載の空気調和装置。
【請求項７】
前記本体（２７０，２７０’）の前記吹出口には第２吹出口（２１０Ｄ，２１０Ｕ’）を含み、
前記本体の前記吸込口には、前記第２吹出口の近傍に配置される第１吸込口（２２０Ｕ，２２０Ｄ’）を含み、
前記第２ユニットは、前記第１吸込口からの空気の吸い込みを停止する吸込停止機構（２４０）を有し、
前記第２吹出口が、前記第２ユニットが設置されている前記空調対象空間の壁に正対して前記本体を見て、前記第1吸込口側に空気を吹き出す時に、前記吸込停止機構は、前記第１吸込口からの空気の吸い込みを停止する、
請求項１から６のいずれか１項に記載の空気調和装置。
【請求項８】
前記本体の前記吹出口には、前記第２ユニットが設置されている前記空調対象空間の壁に正対して前記本体を見た時に、右方向に空気を吹き出す第３吹出口（２１０Ｒ）と、左方向に空気を吹き出す第４吹出口（２１０Ｌ）と、を含み、
前記第２ユニットは、前記第３吹出口からの空気の吹き出しを停止する第２吹出停止機構（２３０Ｒ）と、前記第４吹出口からの空気の吹き出しを停止する第３吹出停止機構（２３０Ｌ）と、を有し、
前記第２吹出停止機構は、前記第２ユニットが設置されている前記空調対象空間の壁に正対して前記本体を見た時に、前記本体の右側に、前記本体と隣接して、前記第２ユニットが設置されている前記空調対象空間の壁と交差する右側壁（ＷＲ）が存在する場合に、前記第３吹出口からの空気の吹き出しを停止し、
前記第３吹出停止機構は、前記第２ユニットが設置されている前記空調対象空間の壁に正対して前記本体を見た時に、前記本体の左側に、前記本体と隣接して、前記第２ユニットが設置されている前記空調対象空間の壁と交差する左側壁（ＷＬ）が存在する場合に、前記第４吹出口からの空気の吹き出しを停止する、
請求項１から７のいずれか１項に記載の空気調和装置。
【発明の詳細な説明】
【技術分野】
【０００１】
冷媒回路と冷媒回路を収容するケーシングとを有し、空調対象空間の外に配置されるユニットを備える、空気調和装置に関する。
【背景技術】
【０００２】
従来、特許文献１（特開２０００−１４６２８３号公報）のように、利用側熱交換器を含む冷媒回路や利用側ファンを空調対象空間の外に配置した空気調和装置が知られている。このような空気調和装置では、空調対象空間に配置される利用側ユニットの小型化を図ることができる。
【発明の概要】
【発明が解決しようとする課題】
【０００３】
しかし、特許文献１（特開２０００−１４６２８３号公報）の空気調和装置では、空調対象空間の外に配置された利用側熱交換器で冷却又は加熱された空気が、利用側ユニットから下方に向かってしか吹き出さない。そのため、特許文献１（特開２０００−１４６２８３号公報）の空気調和装置には、広い空間に対し空気調和を行うという観点からは改善の余地がある。
【課題を解決するための手段】
【０００４】
第１観点の空気調和装置は、冷媒回路と、熱源側ファンと、利用側ファンと、ケーシングと、を有する、空調対象空間の外に配置される第１ユニットを備える。冷媒回路は、圧縮機、熱源側熱交換器、及び利用側熱交換器を含む。熱源側ファンは、熱源側熱交換器を通過する気流を生成する。利用側ファンは、利用側熱交換器を通過する気流を生成する。ケーシングは、冷媒回路、熱源側ファン及び利用側ファンを収容する。空気調和装置は、空調対象空間の空気の吸込口と空調対象空間への空気の吹出口とが形成されている本体を有し、空調対象空間の壁に設置される第２ユニットを更に備える。空調対象空間の空気の吸込口は、利用側ファンの生成する気流の方向における利用側熱交換器の風上側の空間と連通する。空調対象空間への空気の吹出口は、利用側ファンの生成する気流の方向における利用側熱交換器の風下側の空間と連通する。第２ユニットの本体の吹出口は、第２ユニットが設置されている空調対象空間の壁に正対して本体を見た時に、上下左右の４方向のうち少なくとも２方向に空気が吹き出されるように形成されている。
【０００５】
第１観点の空気調和装置では、第２ユニットから１方向にだけ空気を吹き出す場合に比べて、広い領域をカバー可能な空気の流れを空調対象空間内に作り出すことができる。そのため、本空気調和装置は、広い空調対象空間であっても効率よく空気調和を行うことが可能である。
【０００６】
第２観点の空気調和装置は、第１観点の空気調和装置であって、第２ユニットの本体の吹出口は、第２ユニットが設置されている空調対象空間の壁に正対して本体を見た時に、上下左右の４方向のうち少なくとも３方向に空気が吹き出されるように形成されている。
【０００７】
第２観点の空気調和装置では、広い領域をカバー可能な空気の流れが空調対象空間内に生成されやすい。そのため、本空気調和装置は、広い空調対象空間であっても効率よく空気調和を行うことができる。
【０００８】
第３観点の空気調和装置は、第１観点又は第２観点の空気調和装置であって、第２ユニットの本体の吹出口は、少なくとも上方向及び下方向に空気が吹き出されるように形成されている。
【０００９】
第３観点の空気調和装置では、上方向にも下方向にも空気を吹き出すことができるため、冷房運転時であっても、暖房運転時であっても、空調対象空間の空気調和を効率よく行うことができる。
【００１０】
第４観点の空気調和装置は、第１観点から第３観点のいずれかの空気調和装置であって、第２ユニットの本体の吹出口は、本体の少なくとも２つの側面に形成されている。
【００１１】
第４観点の空気調和装置では、第２ユニットの本体の２つ以上の側面から空気を吹き出すことができるので、利用側熱交換器を通過した空気により、空調対象空間を包み込むような気流を生成することが容易である。そのため、本空気調和装置では、広い空調対象空間であっても効率よく空気調和を行うことができる。
【００１２】
第５観点の空気調和装置は、第１観点から第４観点のいずれかの空気調和装置であって、第２ユニットの本体の吸込口は、第２ユニットが設置されている空調対象空間の壁に正対して本体を見た時に、上下左右の４方向のうち少なくとも２方向から本体に空気が吸い込まれるように形成されている。
【００１３】
第５観点の空気調和装置では、第２ユニットに２方向以上から空気が吸い込まれるので、空調対象空間内を効率よく空気調和するのに適した気流を空調対象空間内に生成することができる。
【００１４】
第６観点の空気調和装置は、第１観点から第５観点のいずれかの空気調和装置であって、空気調和装置は、少なくとも空調対象空間の冷房を行う冷房運転モードを運転モードとして有する。第２ユニットの本体の吹出口は、下方向に空気を吹き出す第１吹出口を含む。第２ユニットは、第１吹出口からの空気の吹き出しを停止する第１吹出停止機構を有する。空気調和装置が冷房運転モードで運転を行う時に、第１吹出停止機構は、第１吹出口からの空気の吹き出しを停止する。
【００１５】
第６観点の空気調和装置では、冷却された空気を空調対象空間に吹き出す冷房運転時には第１吹出口からの下向きの空気の吹き出しが停止されるため、空調対象空間の冷房を効率よく行うことができる。
【００１６】
第７観点の空気調和装置は、第１観点から第６観点のいずれかの空気調和装置であって、第２ユニットの本体の吹出口には、第２吹出口を含む。第２ユニットの本体の吸込口には、第２吹出口の近傍に配置される第１吸込口を含む。第２ユニットは、第１吸込口からの空気の吸い込みを停止する吸込停止機構を有する。第２吹出口が、第２ユニットが設置されている空調対象空間の壁に正対して本体を見て、第1吸込口側に空気を吹き出す時に、吸込停止機構は、第１吸込口からの空気の吸い込みを停止する。
【００１７】
第７観点の空気調和装置では、第２吹出口から空気を吹き出して空気調和に適した気流を生成する時に、第２吹出口の近傍に配置される第１吸込口に冷風／温風が吸い込まれる結果、空気調和装置の運転効率が低下することを抑制することができる。
【００１８】
第８観点の空気調和装置は、第１観点から第７観点のいずれかの空気調和装置であって、第２ユニットの本体の吹出口には、第２ユニットが設置されている空調対象空間の壁に正対して本体を見た時に、右方向に空気を吹き出す第３吹出口と、左方向に空気を吹き出す第４吹出口と、を含む。第２ユニットは、第３吹出口からの空気の吹き出しを停止する第２吹出停止機構と、第４吹出口からの空気の吹き出しを停止する第３吹出停止機構と、を有する。第２吹出停止機構は、第２ユニットが設置されている空調対象空間の壁に正対して本体を見た時に、本体の右側に、本体と隣接して、第２ユニットが設置されている空調対象空間の壁と交差する右側壁が存在する場合に、第３吹出口からの空気の吹き出しを停止する。第３吹出停止機構は、第２ユニットが設置されている空調対象空間の壁に正対して本体を見た時に、本体の左側に、本体と隣接して、第２ユニットが設置されている空調対象空間の壁と交差する左側壁が存在する場合に、第４吹出口からの空気の吹き出しを停止する。
【００１９】
第８観点の空気調和装置では、第２ユニットが、壁と壁とが交差する部屋の隅に設置される場合に、不要な吹出口を閉じて運転を行うことができる。
【図面の簡単な説明】
【００２０】
【図１】一実施形態に係る空気調和装置の概略の透視斜視図である。
【図２】図１の空気調和装置の設置状態の一例における概略の透視左側面図である。
【図３】図１の空気調和装置の第１ユニットが有する冷媒回路の概略図である。
【図４】図１の空気調和装置のブロック図である。
【図５】図１の空気調和装置の第２ユニットの概略正面図である。
【図６】図１の空気調和装置により空調される空調対象空間の平面図であって、第２ユニットが吹き出す空気の流れを矢印で示している。
【図７】図１の空気調和装置により空調される空調対象空間の側面図であって、空気調和装置の冷房運転／除湿運転時の第２ユニットが吹き出す空気の流れを矢印で示している。
【図８】図１の空気調和装置により空調される空調対象空間の側面図であって、空気調和装置の暖房運転時の第２ユニットが吹き出す空気の流れを矢印で示している。
【図９】空気調和装置の冷房運転／除湿運転時の、第２ユニットが吸い込む空気の流れと第２ユニットが吹き出す空気の流れとの例を示した図である。
【図１０】図１の空気調和装置の暖房運転時の、第２ユニットが吸い込む空気の流れと第２ユニットが吹き出す空気の流れとの例を示した図である。
【図１１】変形例Ｂの空気調和装置の第２ユニットの概略正面図である。
【図１２】変形例Ｅの、空気調和装置の第２ユニットが右側壁に隣接して配置される場合の、第２ユニットが吸い込む空気の流れと第２ユニットが吹き出す空気の流れとを示した図である。
【図１３】変形例Ｅの、空気調和装置の第２ユニットが左側壁に隣接して配置される場合の、第２ユニットが吸い込む空気の流れと第２ユニットが吹き出す空気の流れとを示した図である。
【図１４】変形例Ｇの、上部に吸込口が形成され、下部に吹出口が形成されている、第２ユニットの本体の他の例である。
【図１５】変形例Ｇの、右側部に吸込口が、左側部に吹出口が形成されている、第２ユニットの本体の他の例である。
【図１６】変形例Ｇの、上部に吸込口が形成され、下部に吹出口が形成されている、第２ユニットの本体における、冷房運転／除湿運転時の、第２ユニットが吸い込む空気の流れと第２ユニットが吹き出す空気の流れとの例を示した図である。
【発明を実施するための形態】
【００２１】
一実施形態に係る空気調和装置１について、図面を参照しながら、以下に説明する。
【００２２】
なお、以下では、位置や方向を説明するために「上」「下」「前（正面）」「後（背面）」「左」「右」等の表現を用いる場合がある。これらの表現は、特記無き場合、図面に示した「上」「下」「前」「後」「左」「右」の矢印の向きに従う。
【００２３】
（１）全体概要
空気調和装置１の全体概要を、図１〜図５を参照しながら説明する。図１は、空気調和装置１の概略の透視斜視図である。図２は、空気調和装置１の設置状態の一例における概略の透視左側面図である。図３は、空気調和装置１の第１ユニット１００が有する冷媒回路１０の概略図である。図４は、空気調和装置１のブロック図である。図５は、空気調和装置１の第２ユニット２００の概略正面図である。なお、図５では、第２ユニット２００の上面、下面、左側面及び右側面に形成された吹出口２１０や吸込口２２０の位置を説明するため、正面側からは見えない吹出口２１０や吸込口２２０を、二点鎖線を用いて示している。また、図５では、第２ユニット２００の背面に形成された、吸込側ダクト２６０が連結される吸込側開口２７０ｂや、吹出側ダクト２５０が連結される吹出側開口２７０ａの位置を説明するため、正面側からは見えない吸込側開口２７０ｂや吹出側開口２７０ａを、二点鎖線を用いて示している。
【００２４】
空気調和装置１は、蒸気圧縮冷凍サイクルを利用して、空調対象空間Ｓ１の冷房、除湿及び暖房を行う装置である。つまり、空気調和装置１は、空調対象空間Ｓ１の冷房を行う冷房運転モードと、空調対象空間Ｓ１の除湿を行う除湿運転モードと、空調対象空間Ｓ１の暖房を行う暖房運転モードと、を運転モードとして有する。限定するものではないが、空気調和装置１で使用される冷媒は、例えばＲ３２を含むＨＦＣ系冷媒である。
【００２５】
なお、空気調和装置１は、冷房、除湿及び暖房の全てを行うことが可能な装置に限定されるものではない。例えば、空気調和装置１は、冷房／除湿のみを行うことが可能な冷房専用機であってもよい。また、例えば、空気調和装置１は、暖房のみを行うことが可能な暖房専用機であってもよい。なお、空気調和装置１が冷房専用機である場合、空気調和装置１は、後述する流向切換機構３０を有していなくてもよい。また、空気調和装置１が暖房専用機である場合にも、空気調和装置１は流向切換機構３０を有していなくてもよい。ただし、空気調和装置１が後述する熱源側熱交換器４０の除霜のために逆サイクルデフロスト運転を行うものであれば、流向切換機構３０を有することが好ましい。
【００２６】
空気調和装置１は、第１ユニット１００と、第２ユニット２００と、空気調和装置１を構成する第１ユニット１００及び第２ユニット２００の各種構成機器の動作を制御する制御装置９０と、を主に有する（図１及び図４参照）。第１ユニット１００と第２ユニット２００とは、吸込側ダクト２６０と吹出側ダクト２５０とにより接続されている。吸込側ダクト２６０及び吹出側ダクト２５０は、それぞれ、例えば、空調対象空間Ｓ１と後述する第１ユニット設置空間Ｓ２とを仕切る壁Ｗに形成された孔に挿通され、一端が第１ユニット１００に他端が第２ユニット２００に接続されている。吸込側ダクト２６０は、後述する第２ユニット２００の本体２７０に形成された吸込口２２０から吸い込まれた空調対象空間Ｓ１の空気を、後述する第１ユニット１００の利用側熱交換器５０へと送るための空気の通路である。吹出側ダクト２５０は、第１ユニット１００の利用側熱交換器５０を通過した空気を第２ユニット２００へと送るための空気の通路である。
【００２７】
なお、本実施形態では、吸込側ダクト２６０と吹出側ダクト２５０とは、それぞれ独立しているが、これに限定されるものではない。例えば、第１ユニット１００と第２ユニット２００とは、単一のダクト管により接続されてもよい。そして、単一のダクト管の内部が、本体２７０に形成された吸込口２２０から吸い込まれた空調対象空間Ｓ１の空気を第１ユニット１００の利用側熱交換器５０へと送るための空気の通路（吸込側ダクト２６０に対応）と、利用側熱交換器５０を通過した空気を第２ユニット２００へと送るための空気の通路（吹出側ダクト２５０に対応）と、に仕切られてもよい。
【００２８】
第２ユニット２００は、空調対象空間Ｓ１の壁Ｗに設置される（図２参照）。第２ユニット２００は、本体２７０を主に有する（図１参照）。本体２７０には、空調対象空間Ｓ１の空気を吸い込むための吸込口２２０と、空調対象空間Ｓ１に空気を吹き出すための吹出口２１０と、が形成されている（図１及び図５参照）。なお、吸込口２２０には、下吸込口２２０Ｄ、左吸込口２２０Ｌ、左吸込口２２０Ｌ及び上吸込口２２０Ｕを含む（図１及び図２参照）。また、吹出口２１０には、下吹出口２１０Ｄ、左吹出口２１０Ｌ、右吹出口２１０Ｒ及び上吹出口２１０Ｕを含む（図１及び図２参照）。
【００２９】
第１ユニット１００は、空調対象空間Ｓ１の外の空間（第１ユニット設置空間Ｓ２と呼ぶ）に配置される（図２参照）。限定するものではないが、第１ユニット１００の設置される第１ユニット設置空間Ｓ２は、例えば屋外である。なお、第１ユニット１００と第２ユニット２００との間を接続する吸込側ダクト２６０及び吹出側ダクト２５０（図２参照）のダクト長を抑制するため、好ましくは、第１ユニット１００は、図２のように空調対象空間Ｓ１に設置される第２ユニット２００と壁Ｗを挟んで隣接して配置される。吸込側ダクト２６０及び吹出側ダクト２５０のダクト長を抑制することで、吸込側ダクト２６０及び吹出側ダクト２５０を空気が通過する際の圧力損失の増大を抑制できる。
【００３０】
第１ユニット１００は、第１ユニット設置空間Ｓ２の空気を熱源として蒸気圧縮冷凍サイクルを行う冷媒回路１０を有する（図３参照）。
【００３１】
また、第１ユニット１００は、冷媒回路１０に含まれる利用側熱交換器５０を通過する気流を生成する利用側ファン７０を有する（図１及び図３参照）。第２ユニット２００の吸込口２２０は、利用側ファン７０の生成する気流の方向における利用側熱交換器５０の風上側の空間Ａ１（図２参照）と連通している。具体的には、第２ユニット２００の吸込口２２０は、吸込側ダクト２６０を介して、利用側ファン７０の生成する気流の方向における利用側熱交換器５０の風上側の空間Ａ１（図２参照）と連通している。また、第２ユニット２００の吹出口２１０は、利用側ファン７０の生成する気流の方向における利用側熱交換器５０の風下側の空間Ａ２と連通している。具体的には、第２ユニット２００の吹出口２１０は、吹出側ダクト２５０を介して、利用側ファン７０の生成する気流の方向における利用側熱交換器５０の風下側の空間Ａ２（図２参照）と連通している。利用側ファン７０が運転されると、第２ユニット２００の吸込口２２０から空調対象空間Ｓ１の空気が吸い込まれ、吸込側ダクト２６０と空間Ａ１とを通過して利用側熱交換器５０へと送られ、利用側熱交換器５０で冷媒と熱交換する。利用側熱交換器５０で冷媒と熱交換した空気は、空間Ａ２と吹出側ダクト２５０とを通過して、最終的に第２ユニット２００の吹出口２１０から空調対象空間Ｓ１へと吹き出す。
【００３２】
また、第１ユニット１００は、冷媒回路１０に含まれる熱源側熱交換器４０を通過する気流を生成する熱源側ファン６０を有する。また、第１ユニット１００は、冷媒回路１０、利用側ファン７０及び熱源側ファン６０を収容するケーシング１１０を有する。ケーシング１１０には、第１ユニット設置空間Ｓ２の空気をケーシング１１０内に吸い込むための熱源側吸込口１１０ａと、熱源側吸込口１１０ａから取り込まれ熱源側熱交換器４０を通過した空気を第１ユニット設置空間Ｓ２へと吹き出す熱源側吹出口１１０ｂと、が形成されている。熱源側ファン６０が運転されることで、熱源側吸込口１１０ａからケーシング１１０内に第１ユニット設置空間Ｓ２の空気が取り込まれ、熱源側吸込口１１０ａから取り込まれた空気は熱源側熱交換器４０を通過して熱源側吹出口１１０ｂから第１ユニット設置空間Ｓ２へと吹き出される。
【００３３】
制御装置９０は、例えば、第１ユニット１００が有する第１ユニット側制御装置（図示せず）と、第２ユニット２００が有する第２ユニット側制御装置（図示せず）とを含む。第１ユニット側制御装置と第２ユニット側制御装置とは、協働して制御装置９０として機能する。
【００３４】
（２）詳細説明
以下に、第１ユニット１００、第２ユニット２００及び制御装置９０について詳細を説明する。
【００３５】
（２−１）第１ユニット
第１ユニット１００が主に有する、冷媒回路１０と、熱源側ファン６０と、利用側ファン７０と、ケーシング１１０と、について説明する。第１ユニット１００は、一体型のユニットである。第１ユニット１００が一体型であるとは、ケーシング１１０に、冷媒回路１０、熱源側ファン６０及び利用側ファン７０が収容されていることを意味する。なお、ケーシング１１０に、冷媒回路１０、熱源側ファン６０及び利用側ファン７０が収容されているとは、冷媒回路１０、熱源側ファン６０及び利用側ファン７０が部分的にケーシング１１０の外に露出している状態を除外するものではない。言い換えれば、第１ユニット１００が一体型であるとは、ケーシング１１０に、熱源側のユニットと利用側のユニットとの両方が収容されていることを意味する。
【００３６】
なお、現地での配管作業を削減する等の観点からは、第１ユニット１００は一体型であることが好ましいが、第１ユニット１００は一体型に限定されるものではない。例えば、第１ユニット１００は、熱源側のユニットと利用側のユニットとが、それぞれ別のケーシングに収容され、熱源側のユニットと利用側のユニットとの間は冷媒連絡配管により接続されてもよい。
【００３７】
なお、本実施形態では、第１ユニット１００は、制御装置９０の一部を構成する第１ユニット側制御装置（図示せず）を有する。しかし、第１ユニット１００の説明の中では第１ユニット側制御装置に関する説明は省略し、制御装置９０に関する説明の中で第１ユニット側制御装置について説明する。
【００３８】
（２−１−１）冷媒回路
第１ユニット１００は、圧縮機２０、流向切換機構３０、利用側熱交換器５０、熱源側熱交換器４０及び膨張機構８０等の機器を配管で接続した冷媒回路１０を有する（図３参照）。
【００３９】
初めに、冷媒回路１０における機器の接続について説明する。空気調和装置１は、冷媒回路１０を構成する機器を接続する配管として、主に、吸入管１０ａ、吐出管１０ｂ、第１ガス連絡配管１０ｃ、液連絡配管１０ｄ、及び第２ガス連絡配管１０ｅを含む（図３参照）。
【００４０】
吸入管１０ａは、流向切換機構３０と圧縮機２０の吸入側の配管接続部（図示省略）とを接続する。吐出管１０ｂは、圧縮機２０の吐出側の配管接続部（図示省略）と流向切換機構３０とを接続する。第１ガス連絡配管１０ｃは、流向切換機構３０と、熱源側熱交換器４０のガス側冷媒出入口とを接続する。液連絡配管１０ｄは、熱源側熱交換器４０の液側冷媒出入口と、利用側熱交換器５０の液側冷媒出入口とを接続する。第２ガス連絡配管１０ｅは、利用側熱交換器５０のガス側冷媒出入口と、流向切換機構３０とを接続する。
【００４１】
次に、圧縮機２０、流向切換機構３０、熱源側熱交換器４０、利用側熱交換器５０及び膨張機構８０について説明する。
【００４２】
（２−１−１−１）圧縮機
圧縮機２０は、冷媒を圧縮する機器である。圧縮機２０は、冷凍サイクルにおける低圧の冷媒を圧縮して、冷凍サイクルにおける高圧にまで加圧する。
【００４３】
圧縮機２０は、タイプを限定するものでは無いが、例えば、ロータリ式やスクロール式等の容積圧縮機である。圧縮機２０の圧縮機構（図示せず）は、モータ（図示せず）によって駆動される。圧縮機２０は、定容量の圧縮機（非インバータ圧縮機）であってもよいし、容量可変の圧縮機（インバータ圧縮機）であってもよい。
【００４４】
（２−１−１−２）流向切換機構
流向切換機構３０は、圧縮機２０から吐出される冷媒の流れ方向を切り換えて、空気調和装置１の運転状態を、第１運転状態と、第２運転状態と、の間で切り換える機構である。第１運転状態では、利用側熱交換器５０が蒸発器として機能させられ、熱源側熱交換器４０が凝縮器（放熱器）として機能させられる。第２運転状態では、利用側熱交換器５０が凝縮器（放熱器）として機能させられ、熱源側熱交換器４０が蒸発器として機能させられる。
【００４５】
流向切換機構３０は、冷房／除湿運転時には、空気調和装置１の運転状態を第１運転状態に切り換える。具体的には、冷房／除湿運転時には、流向切換機構３０は、吸入管１０ａを第２ガス連絡配管１０ｅと連通させ、吐出管１０ｂを第１ガス連絡配管１０ｃと連通させる（図３の流向切換機構３０中の実線参照）。つまり、流向切換機構３０は、冷房／除湿運転時に、圧縮機２０の吸入側を吸入管１０ａ及び第２ガス連絡配管１０ｅを通じて利用側熱交換器５０のガス側端に連通させ、かつ、圧縮機２０の吐出側を吐出管１０ｂ及び第１ガス連絡配管１０ｃを通じて熱源側熱交換器４０のガス側端に連通させる。
【００４６】
流向切換機構３０は、暖房運転時には、空気調和装置１の運転状態を第２運転状態に切り換える。具体的には、暖房運転時には、流向切換機構３０は、吸入管１０ａを第１ガス連絡配管１０ｃと連通させ、吐出管１０ｂを第２ガス連絡配管１０ｅと連通させる（図３の流向切換機構３０中の破線参照）。つまり、流向切換機構３０は、暖房運転時に、圧縮機２０の吸入側を吸入管１０ａ及び第１ガス連絡配管１０ｃを通じて熱源側熱交換器４０のガス側端に連通させ、かつ、圧縮機２０の吐出側を吐出管１０ｂ及び第２ガス連絡配管１０ｅを通じて利用側熱交換器５０のガス側端に連通させる。
【００４７】
本実施形態では、流向切換機構３０は、四路切換弁である。ただし、流向切換機構３０は、四路切換弁に限られるものではなく、複数の電磁弁及び冷媒管を組み合わせ、上記のような冷媒の流れ方向の切り換えを実現できるように構成されてもよい。
【００４８】
（２−１−１−３）熱源側熱交換器
熱源側熱交換器４０は、冷媒と第１ユニット設置空間Ｓ２の空気との間で熱交換が行われる熱交換器である。熱源側熱交換器４０の液側端には液連絡配管１０ｄが接続されており、熱源側熱交換器４０のガス側端には第１ガス連絡配管１０ｃが接続されている（図３参照）。空気調和装置１の運転状態が第１運転状態にある時には、熱源側熱交換器４０は凝縮器として機能する。空気調和装置１の運転状態が第２運転状態にある時には、熱源側熱交換器４０は蒸発器として機能する。
【００４９】
熱源側熱交換器４０は、その構造を限定するものではないが、例えば、内部を冷媒が流れる冷媒伝熱管（図示せず）と、多数の伝熱フィン（図示せず）と、を主に有するフィン・アンド・チューブ型熱交換器である。
【００５０】
（２−１−１−４）利用側熱交換器
利用側熱交換器５０は、第２ユニット２００から吸込側ダクト２６０を介して送られてくる空気と冷媒との間で熱交換が行われる熱交換器である。利用側熱交換器５０の液側端には液連絡配管１０ｄが接続されており、利用側熱交換器５０のガス側端には第２ガス連絡配管１０ｅが接続されている（図３参照）。空気調和装置１の運転状態が第１運転状態にある時には、利用側熱交換器５０は蒸発器として機能する。空気調和装置１の運転状態が第２運転状態にある時には、利用側熱交換器５０は凝縮器として機能する。
【００５１】
利用側熱交換器５０は、その構造を限定するものではないが、例えば、内部を冷媒が流れる冷媒伝熱管（図示せず）と、多数の伝熱フィン（図示せず）と、を主に有するフィン・アンド・チューブ型熱交換器である。
【００５２】
（２−１−１−５）膨張機構
膨張機構８０は、絞り膨張作用により、冷凍サイクルにおける高圧の冷媒の圧力を下げる機構である。本実施形態では、膨張機構８０は電子膨張弁である。ただし、膨張機構８０は、開度調節が可能な電子膨張弁に限定されるものではなく、感熱筒と共に用いられる機械式膨張弁であってもよい。また、膨張機構８０は、キャピラリチューブであってもよい。
【００５３】
（２−１−２）熱源側ファン
熱源側ファン６０は、熱源側熱交換器４０を通過する気流を生成する機器である。熱源側ファン６０は、モータ（図示せず）により駆動される。
【００５４】
熱源側ファン６０が運転されると、ケーシング１１０に形成された熱源側吸込口１１０ａからケーシング１１０内に第１ユニット設置空間Ｓ２の空気が吸い込まれる。熱源側吸込口１１０ａからケーシング１１０内に吸い込まれた空気は、熱源側熱交換器４０を通過して熱源側吹出口１１０ｂから第１ユニット設置空間Ｓ２へと吹き出される。
【００５５】
熱源側ファン６０は、本実施形態ではプロペラファンである。本実施形態では、第１ユニット１００は、ケーシング１１０内に上下に並べて配置された２台のプロベラファンを有する。熱源側熱交換器４０の高さを比較的大きく取り、上下方向に２台のプロベラファンを配置したことで、ケーシング１１０の横方向（左右方向）の幅は抑制しつつ、比較的大きな熱負荷に対応することができる。ただし、熱源側ファン６０の種類や台数は、例示した態様に限定されるものではない。上述した熱源側熱交換器４０を通過する空気の流れを生成可能で、所望の風量を確保可能であれば、熱源側ファン６０の種類や台数は適宜決定されればよい。例えば、熱源側ファン６０は、ターボファンや、シロッコファンや、クロスフローファンであってもよい。また、熱源側ファン６０は、１台又は３台以上のプロペラファンを含むものであってもよい。
【００５６】
また、本実施形態では、熱源側ファン６０は、熱源側ファン６０が生成する気流の方向において、熱源側熱交換器４０より下流側に配置されるが、これに限定されるものではない。空気の流路等の設計に応じて、熱源側ファン６０は、熱源側ファン６０が生成する気流の方向において、熱源側熱交換器４０より上流側に配置されてもよい。
【００５７】
（２−１−３）利用側ファン
利用側ファン７０は、利用側熱交換器５０を通過する気流を生成する機器である。利用側ファン７０は、モータ（図示せず）により駆動される。
【００５８】
利用側ファン７０が運転されると、第２ユニット２００の吸込口２２０から空調対象空間Ｓ１の空気が吸い込まれ、吸込側ダクト２６０と空間Ａ１とを通過して利用側熱交換器５０へと送られ、利用側熱交換器５０で冷媒と熱交換する。そして、利用側熱交換器５０で冷媒と熱交換した空気は、空間Ａ２と吹出側ダクト２５０とを通過して、最終的に第２ユニット２００の吹出口２１０から空調対象空間Ｓ１へと吹き出す。
【００５９】
利用側ファン７０は、本実施形態では１台のシロッコファンである。ただし、利用側ファン７０の種類や台数は、例示した態様に限定されるものではない。上述した利用側熱交換器５０を通過する空気の流れを生成可能で、所望の風量を確保可能であれば、利用側ファン７０の種類や台数は適宜決定されればよい。上述した利用側熱交換器５０を通過する空気の流れを生成可能であれば、利用側ファン７０のタイプは適宜決定されればよい。例えば、利用側ファン７０は、プロペラファンやターボファンであってもよい。また、利用側ファン７０は、複数台のシロッコファンを含むものであってもよい。
【００６０】
また、本実施形態では、利用側ファン７０は、利用側ファン７０が生成する気流の方向において、利用側熱交換器５０より上流側に配置されるが、これに限定されるものではない。空気の流路等の設計に応じて、利用側ファン７０は、利用側ファン７０が生成する気流の方向において、利用側熱交換器５０より下流側に配置されてもよい。
【００６１】
（２−１−４）ケーシング
ケーシング１１０は、冷媒回路１０、熱源側ファン６０、及び利用側ファン７０を収容する。なお、ケーシング１１０に、冷媒回路１０、熱源側ファン６０及び利用側ファン７０が収容されているとは、冷媒回路１０、熱源側ファン６０及び利用側ファン７０が部分的にケーシング１１０の外に露出している状態（例えば、冷媒回路１０の配管の一部がケーシング１１０の外面に取り付けられているような状態）を除外するものではない。
【００６２】
ケーシング１１０は、第１ユニット設置空間Ｓ２の床に設置される。ただし、ケーシング１１０の設置の態様は、床置きに限定されるものではなく、例えば、ケーシング１１０が隣接している壁に固定・支持されてもよい。
【００６３】
ケーシング１１０には、第１ユニット設置空間Ｓ２の空気をケーシング１１０内に吸い込むための熱源側吸込口１１０ａと、熱源側吸込口１１０ａから吸い込まれ熱源側熱交換器４０を通過した空気を第１ユニット設置空間Ｓ２へと吹き出す熱源側吹出口１１０ｂとが形成されている。
【００６４】
ケーシング１１０内の機器の配置について説明する。
【００６５】
ケーシング１１０の内部は、上下方向において、最下部に配置される熱源側空間Ｓａと、最上部に配置される利用側空間Ｓｃと、熱源側空間Ｓａと利用側空間Ｓｃとの中間に配置される機械室空間Ｓｂと、の３つの空間に区画されている（図１及び図２参照）。なお、熱源側空間Ｓａ、機械室空間Ｓｂ及び利用側空間Ｓｃは、これらの空間の間で直接的な空気の流出入が無いような状態で区画されることが好ましい。
【００６６】
熱源側空間Ｓａには、主に、熱源側熱交換器４０と、熱源側ファン６０と、が配置されている（図１及び図２参照）。ケーシング１１０には、熱源側空間Ｓａと連通するように熱源側吸込口１１０ａ及び熱源側吹出口１１０ｂが形成されている。熱源側吸込口１１０ａは、ケーシング１１０の前方側（壁Ｗに対向する側）、左前方側及び右前方側に形成されている。つまり、熱源側空間Ｓａには、ケーシング１１０の前面側、左面側及び右面側から第１ユニット設置空間Ｓ２の空気が吸い込まれる。熱源側吹出口１１０ｂは、ケーシング１１０の後方側に形成されている。
【００６７】
機械室空間Ｓｂには、主に、圧縮機２０が配置されている。
【００６８】
利用側空間Ｓｃには、主に、利用側熱交換器５０と、利用側ファン７０と、が配置されている（図１及び図２参照）。利用側空間Ｓｃは、更に上下方向に分割され、下部側の空間Ｓｃａに利用側ファン７０が、上部側の空間Ｓｃｂに利用側熱交換器５０が、配置される（図１及び図２参照）。ケーシング１１０には、空間Ｓｃａに開口するように、吸込側ダクト２６０が接続される利用側吸込口１１０ｃが形成されている（図２参照）。また、ケーシング１１０には、空間Ｓｃｂに開口するように、吹出側ダクト２５０が接続される利用側吹出口１１０ｄが形成されている（図２参照）。利用側吸込口１１０ｃ及び利用側吹出口１１０ｄは、ケーシング１１０の前方側（壁Ｗに対向する側）に形成されている。利用側ファン７０が駆動されると、吸込側ダクト２６０を介して、利用側吸込口１１０ｃから空気が流入し、利用側ファン７０により上方へと吹き出され、空間Ｓｃｂに配置された利用側熱交換器５０へと向かう。利用側ファン７０から利用側熱交換器５０へと向かった空気は、利用側熱交換器５０を通過して、利用側吹出口１１０ｄから吹出側ダクト２５０へと流入する。
【００６９】
なお、ここで示したケーシング１１０内の機器や空間の配置は、一例に過ぎず、適宜変更されてもよい。例えば、上下方向における、熱源側空間Ｓａ、機械室空間Ｓｂ及び利用側空間Ｓｃが配置される順序は、適宜変更されてもよい。また、本実施形態では、熱源側空間Ｓａ、機械室空間Ｓｂ、及び利用側空間Ｓｃが上下方向に並べて配置されるが、熱源側空間Ｓａ、機械室空間Ｓｂ、及び利用側空間Ｓｃは上下方向に並ぶ必要はない。例えば、熱源側空間Ｓａ、機械室空間Ｓｂ、及び利用側空間Ｓｃの少なくとも一部が、互いに左右方向に並べて配置されてもよい。ただし、熱源側空間Ｓａ、機械室空間Ｓｂ、及び利用側空間Ｓｃを上下方向に並べて配置することで、ケーシング１１０の設置面積を抑制することができる。
【００７０】
（２−２）第２ユニット
第２ユニット２００は、空調対象空間Ｓ１の壁Ｗに設置され、空調対象空間Ｓ１の空気を吸い込み、第１ユニット１００の利用側熱交換器５０と熱交換した空気を空調対象空間Ｓ１へと吹き出すユニットである。
【００７１】
第２ユニット２００は、主に本体２７０を有する（図１及び図２参照）。また、好ましくは、第２ユニット２００は、本体２７０に形成された吹出口２１０に配置される吹出口フラップ２３０を有する（図１及び図２参照）。また、好ましくは、第２ユニット２００は、本体２７０に形成された吸込口２２０の１つ（上吸込口２２０Ｕ）に配置される吸込口フラップ２４０を有する（図１及び図２参照）。吹出口フラップ２３０は、吹出口２１０から吹き出す空気の向きを変える部品である。吸込口フラップ２４０は、上吸込口２２０Ｕの空気の吸い込みの方向を変える部品である。吹出口フラップ２３０及び吸込口フラップ２４０は、制御装置９０により制御される図示しないモータにより駆動される。
【００７２】
なお、本実施形態では、第２ユニット２００は、制御装置９０の一部を構成する第２ユニット側制御装置（図示せず）を有する。しかし、第２ユニット２００の説明の中では第２ユニット側制御装置に関する説明は省略し、制御装置９０に関する説明の中で第２ユニット側制御装置について説明する。
【００７３】
本体２７０は、概ね直方体形状のケーシングである。ただし、本体２７０の形状は、直方体形状に限定されるものではなく、適宜決定されればよい。本空気調和装置１では、利用側熱交換器５０及び利用側ファン７０や、冷媒回路１０を構成する冷媒配管等が全て第１ユニット１００内に配置されているため、本体２７０の奥行き（前後方向の厚み）が抑制される。例えば、冷媒回路１０が第１ユニット１００内に配置されていることで、本体２７０の奥行きは、１０ｍｍ〜２５０ｍｍの範囲に抑制でき、スリムな第２ユニット２００を実現できる。
【００７４】
本体２７０は、その内部が、仕切部材２８０により上部空間Ｃ１と下部空間Ｃ２とに区画されている（図５参照）。なお、仕切部材２８０は、上部空間Ｃ１の空気が本体２７０の内部を通過して直接的に下部空間Ｃ２に流入することが無いよう、また、下部空間Ｃ２の空気が本体２７０の内部を通過して直接的に上部空間Ｃ１に流入することが無いように、上部空間Ｃ１と下部空間Ｃ２とを区画することが好ましい。
【００７５】
本体２７０には、吹出口２１０として、上部空間Ｃ１と連通する下吹出口２１０Ｄ、左吹出口２１０Ｌ、右吹出口２１０Ｒ及び上吹出口２１０Ｕが形成されている。なお、下吹出口２１０Ｄは、第１吹出口の一例である。下吹出口２１０Ｄは本体２７０の前面に、左吹出口２１０Ｌは本体２７０の左側面に、右吹出口２１０Ｒは本体２７０の右側面に、上吹出口２１０Ｕは本体２７０の上面に、それぞれ形成されている。本実施形態の第２ユニット２００では、上吹出口２１０Ｕ、左吹出口２１０Ｌ、右吹出口２１０Ｒ及び下吹出口２１０Ｄに、風向調整用の上吹出口フラップ２３０Ｕ、左吹出口フラップ２３０Ｌ、右吹出口フラップ２３０Ｒ及び下吹出口フラップ２３０Ｄがそれぞれ設けられる。
【００７６】
第２ユニット２００が設置されている空調対象空間Ｓ１の壁Ｗに正対して本体２７０を見た時に、下吹出口２１０Ｄは下方向に空気を吹き出す。具体的には、下吹出口フラップ２３０Ｄによって風向が調節されることで、下吹出口２１０Ｄは下向き、かつ、やや前向きに空気を吹き出す。その結果、第２ユニット２００が設置されている空調対象空間Ｓ１の壁Ｗに正対して本体２７０を見た時に、下吹出口２１０Ｄは下方向に空気を吹き出す。なお、下吹出口フラップ２３０Ｄによって風向を調節することに代えて、下吹出口２１０Ｄに不動のガイド部材を設けて、下吹出口２１０Ｄから下方向（例えば、下方向かつやや前向き）に空気が吹き出されるように構成されてもよい。
【００７７】
また、第２ユニット２００が設置されている空調対象空間Ｓ１の壁Ｗに正対して本体２７０を見た時に、左吹出口２１０Ｌは、左方向に空気を吹き出す。具体的には、左吹出口２１０Ｌは、左吹出口フラップ２３０Ｌによって風向が調節されることで、左向き、かつ、やや前向きに空気を吹き出す。第２ユニット２００が設置されている空調対象空間Ｓ１の壁Ｗに正対して本体２７０を見た時に、右吹出口２１０Ｒは、右方向に空気を吹き出す。具体的には、右吹出口２１０Ｒは、右吹出口フラップ２３０Ｒによって風向が調節されることで、右向き、かつ、やや前向きに空気を吹き出す。第２ユニット２００が設置されている空調対象空間Ｓ１の壁Ｗに正対して本体２７０を見た時に、上吹出口２１０Ｕは、上方向に空気を吹き出す。具体的には、上吹出口フラップ２３０Ｕによって風向が調節されることで、上吹出口２１０Ｕは、上向き、かつ、やや前向きに空気を吹き出す。
【００７８】
ここでは、本体２７０の吹出口２１０は、本体２７０の少なくとも２つの側面に形成されている。特にここでは、本体２７０の吹出口２１０は、本体２７０の４つの側面、具体的には上面、正面、右側面及び左側面に形成されている。
【００７９】
また、本体２７０の吹出口２１０は、第２ユニット２００が設置されている空調対象空間Ｓ１の壁Ｗに正対して本体２７０を見た時に、上下左右の４方向のうち少なくとも２方向に空気が吹き出されるように形成されている。好ましくは、本体２７０の吹出口２１０は、第２ユニット２００が設置されている空調対象空間Ｓ１の壁Ｗに正対して本体２７０を見た時に、上下左右の４方向のうち少なくとも３方向に空気が吹き出されるように形成されている。特にここでは、本体２７０の吹出口２１０は、第２ユニット２００が設置されている空調対象空間Ｓ１の壁Ｗに正対して本体２７０を見た時に、上下左右の４方向に空気が吹き出されるように形成されている。なお、ここでの空気の吹出方向は、空気の主な吹出方向を意味する。例えば、第２ユニット２００が設置されている空調対象空間Ｓ１の壁Ｗに正対して本体２７０を見た時に、下方向に空気を吹き出すとは、壁Ｗに正対して本体２７０を見た時の吹出空気の速度ベクトルの下向き成分が最も大きい（左右方向成分よりも大きい）ことを意味する。
【００８０】
本体２７０の背面には、吹出側ダクト２５０と連通している吹出側開口２７０ａが形成されている。吹出側開口２７０ａは、上部空間Ｃ１と連通するように本体２７０に形成されている。第１ユニット１００の利用側ファン７０が運転されると、第１ユニット１００の利用側熱交換器５０を通過した空気が吹出側ダクト２５０を通過して吹出側開口２７０ａから上部空間Ｃ１に流入し、その後、吹出口２１０から吹き出す。なお、上吹出口２１０Ｕ、左吹出口２１０Ｌ、右吹出口２１０Ｒ及び下吹出口２１０Ｄからの空気の吹き出し実行／吹き出し停止は、上吹出口２１０Ｕ、左吹出口２１０Ｌ、右吹出口２１０Ｒ及び下吹出口２１０Ｄにそれぞれ設けられた上吹出口フラップ２３０Ｕ、左吹出口フラップ２３０Ｌ、右吹出口フラップ２３０Ｒ及び下吹出口フラップ２３０Ｄにより切換可能に構成されることが好ましい。
【００８１】
また、本体２７０には、吸込口２２０として、下部空間Ｃ２と連通する下吸込口２２０Ｄ、左吸込口２２０Ｌ、右吸込口２２０Ｒ及び上吸込口２２０Ｕが形成されている。下吸込口２２０Ｄは本体２７０の下面に、左吸込口２２０Ｌは本体２７０の左側面に、右吸込口２２０Ｒは本体２７０の右側面に、上吸込口２２０Ｕは本体２７０の前面に、それぞれ形成されている。本実施形態の第２ユニット２００では、上吸込口２２０Ｕには、吸込口フラップ２４０が設けられている。
【００８２】
第２ユニット２００が設置されている空調対象空間Ｓ１の壁Ｗに正対して本体２７０を見た時に、上吸込口２２０Ｕは本体２７０に上方向から空気を吸い込む。具体的には、吸込口フラップ２４０によって空気の吸込方向が調節されることで、上吸込口２２０Ｕは本体２７０に上方向から下向きに空気を吸い込む。なお、吸込口フラップ２４０によって空気の吸い込み方向を調節することに代えて、上吸込口２２０Ｕに不動のガイド部材を設けて、上吸込口２２０Ｕが本体２７０に上方向から空気を吸い込むように構成されてもよい。また、上吸込口２２０Ｕは、主に前方から空気を吸い込んでもよい。
【００８３】
第２ユニット２００が設置されている空調対象空間Ｓ１の壁Ｗに正対して本体２７０を見た時に、下吸込口２２０Ｄは、下方向から（上向きに）本体２７０に空気を吸い込む。第２ユニット２００が設置されている空調対象空間Ｓ１の壁Ｗに正対して本体２７０を見た時に、左吸込口２２０Ｌは、左方向から（右向きに）本体２７０に空気を吸い込む。第２ユニット２００が設置されている空調対象空間Ｓ１の壁Ｗに正対して本体２７０を見た時に、右吸込口２２０Ｒは、右方向から（左向きに）本体２７０に空気を吸い込む。
【００８４】
ここでは、本体２７０の吸込口２２０は、本体２７０の少なくとも２つの側面に形成されている。特にここでは、本体２７０の吸込口２２０は、本体２７０の４つの側面、具体的には下面、正面、右側面及び左側面に形成されている。
【００８５】
また、本体２７０の吸込口２２０は、第２ユニット２００が設置されている空調対象空間Ｓ１の壁Ｗに正対して本体２７０を見た時に、上下左右の４方向の少なくとも２方向から本体２７０に空気が吸い込まれるように形成されている。特にここでは、本体２７０の吸込口２２０は、第２ユニット２００が設置されている空調対象空間Ｓ１の壁Ｗに正対して本体２７０を見た時に、上下左右の４方向から本体２７０に空気が吸い込まれるように形成されている。なお、ここでの空気の吸込方向は、空気の主な吸込方向を意味する。例えば、第２ユニット２００が設置されている空調対象空間Ｓ１の壁Ｗに正対して本体２７０を見た時に、下方向から（上向きに）本体２７０に空気が吸い込まれるとは、壁Ｗに正対して本体２７０を見た時の吸込空気の速度ベクトルの上向き成分が最も大きい（左右方向成分よりも大きい）ことを意味する。
【００８６】
本体２７０の背面には、吸込側ダクト２６０と連通している吸込側開口２７０ｂが形成されている。吸込側開口２７０ｂは、下部空間Ｃ２と連通するように本体２７０に形成されている。第１ユニット１００の利用側ファン７０が運転されると、吸込口２２０から空調対象空間Ｓ１の空気が流入し、下部空間Ｃ２を経て吸込側ダクト２６０へと流入する。本実施形態の第２ユニット２００では、上吸込口２２０Ｕからの空気の吸い込み実行／吸い込み停止は、後述するように上吸込口２２０Ｕに設けられた吸込口フラップ２４０により切換可能に構成されることが好ましい。
【００８７】
空気調和装置１の運転中の、吸込口２２０からの空気の吸い込み、及び、吹出口２１０からの空気の吹き出しの態様については、後ほど詳細を説明する。
【００８８】
（２−３）制御装置
制御装置９０は、空気調和装置１を構成する、第１ユニット１００及び第２ユニット２００の各種機器の動作を制御する。制御装置９０は、例えば、第１ユニット１００が有する第１ユニット側制御装置（図示せず）と、第２ユニット２００が有する第２ユニット側制御装置（図示せず）とを含み、第１ユニット側制御装置及び第２ユニット側制御装置が協働することで、制御装置９０として機能する。第１ユニット側制御装置及び第２ユニット側制御装置のそれぞれは、ＣＰＵやメモリ等の部品を有するマイクロコンピュータを有する。
【００８９】
なお、制御装置９０は、第１ユニット側制御装置及び第２ユニット側制御装置により構成されなくてもよい。例えば、第１ユニット１００が有する第１ユニット側制御装置だけで制御装置９０が構成されてもよいし、第２ユニット２００が有する第２ユニット側制御装置だけで制御装置９０が構成されてもよい。また、制御装置９０は、第１ユニット１００が有する第１ユニット側制御装置及び第２ユニット２００が有する第２ユニット側制御装置とは別の独立した装置であってもよい。
【００９０】
また、本実施形態の制御装置９０は、空気調和装置１の動作を制御する制御装置の一例にすぎない。制御装置は、本実施形態の制御装置９０が発揮する機能と同様の機能を、論理回路等のハードウェアにより実現してもよいし、ハードウェアとソフトウェアとの組合せにより実現してもよい。
【００９１】
制御装置９０は、圧縮機２０、流向切換機構３０、熱源側ファン６０、利用側ファン７０及び膨張機構８０を含む第１ユニット１００の各種機器と電気的に接続されている（図４参照）。また、制御装置９０は、上吹出口フラップ２３０Ｕ、下吹出口フラップ２３０Ｄ、右吹出口フラップ２３０Ｒ、左吹出口フラップ２３０Ｌ、吸込口フラップ２４０を含む第２ユニット２００の各種機器と電気的に接続されている（図４参照）。また、制御装置９０は、空気調和装置１の各部に設けられた図示しない温度センサとも電気的に接続されている。温度センサには、例えば、冷媒回路１０の各部の冷媒の温度を計測する温度センサや、空調対象空間Ｓ１や第１ユニット設置空間Ｓ２の温度を計測する温度センサ等を含む。また、空気調和装置１の冷媒回路１０には、冷媒の圧力を測定するための圧力センサが設けられてもよい。制御装置９０は、マイクロコンピュータにおいて、ＣＰＵがメモリに記憶されたプログラムを実行することで、空気調和装置１の動作の制御を行う。
【００９２】
制御装置９０により制御される空気調和装置１の冷房／除湿運転時及び暖房運転時の、空気調和装置１の各種機器の動作について説明する。
【００９３】
＜冷房／除湿運転＞
操作スイッチ（図示せず）等からの指示によって冷房運転又は除湿運転の指示がなされると、制御装置９０は、空気調和装置１の運転状態が第１運転状態になるように流向切換機構３０を制御する（図３の流向切換機構３０中の実線参照）。また、制御装置９０は、圧縮機２０、熱源側ファン６０及び利用側ファン７０の運転を開始し、温度センサの計測値等に基づいて、圧縮機２０、膨張機構８０、熱源側ファン６０及び利用側ファン７０の動作を適宜制御する。また、制御装置９０は、第２ユニット２００側の機器（上吹出口フラップ２３０Ｕ、下吹出口フラップ２３０Ｄ、右吹出口フラップ２３０Ｒ、左吹出口フラップ２３０Ｌ、吸込口フラップ２４０）についても制御する。制御装置９０による第２ユニット２００側の機器の制御及び第２ユニット２００周りの空気の動きについては後述する。
【００９４】
以上のように空気調和装置１の動作が制御される結果、冷媒回路１０内の冷凍サイクルにおける低圧のガス冷媒は、圧縮機２０に吸入されて圧縮され、冷凍サイクルにおける高圧のガス冷媒となる。圧縮機２０で圧縮されたガス冷媒は、流向切換機構３０を通じて熱源側熱交換器４０に送られる。熱源側熱交換器４０に送られた冷凍サイクルにおける高圧のガス冷媒は、凝縮器として機能する熱源側熱交換器４０において、熱源側ファン６０によって供給される第１ユニット設置空間Ｓ２の空気と熱交換を行って冷却されて凝縮し、高圧の液冷媒となる。一方、凝縮器として機能する熱源側熱交換器４０で加熱された空気は、ケーシング１１０に形成された熱源側吹出口１１０ｂから第１ユニット設置空間Ｓ２へと排出される。熱源側熱交換器４０で凝縮した液冷媒は、膨張機構８０で減圧されて膨張し、利用側熱交換器５０に送られる。利用側熱交換器５０に送られた低圧の気液二相状態の冷媒は、蒸発器として機能する利用側熱交換器５０において、利用側ファン７０によって供給される空調対象空間Ｓ１の空気と熱交換を行って蒸発し、低圧のガス冷媒となる。低圧のガス冷媒は、第２ガス連絡配管１０ｅ及び吸入管１０ａを通じて圧縮機２０に送られ、圧縮機２０に再び吸入される。一方、蒸発器として機能する利用側熱交換器５０で冷却された空気は、第２ユニット２００の本体２７０の吹出口２１０から吹き出す。
【００９５】
次に、制御装置９０による第２ユニット２００側の機器の制御及び第２ユニット２００周りの空気の動きについてについて説明する。
【００９６】
例えば、制御装置９０は、上吹出口フラップ２３０Ｕ、下吹出口フラップ２３０Ｄ、右吹出口フラップ２３０Ｒ及び左吹出口フラップ２３０Ｌを開き、上吹出口２１０Ｕ、下吹出口２１０Ｄ、右吹出口２１０Ｒ及び左吹出口２１０Ｌから適切な方向に空気が吹き出すように、上吹出口フラップ２３０Ｕ、下吹出口フラップ２３０Ｄ、右吹出口フラップ２３０Ｒ、及び左吹出口フラップ２３０Ｌの向き（フラップの角度）を調整する。また、制御装置９０は、吸込口フラップ２４０を開く。
【００９７】
なお、好ましくは、制御装置９０は、第１吹出停止機構の一例としての下吹出口フラップ２３０Ｄを閉じる（開かない）。つまり、空気調和装置１が冷房運転モード又は除湿運転モードで運転を行う時には、好ましくは、下吹出口フラップ２３０Ｄは、下吹出口２１０Ｄからの（下向きの）空気の吹き出しを停止する。一方で、制御装置９０は、上吹出口フラップ２３０Ｕ、右吹出口フラップ２３０Ｒ、及び左吹出口フラップ２３０Ｌを開き、上吹出口２１０Ｕ、右吹出口２１０Ｒ及び左吹出口２１０Ｌから適切な方向に空気が吹き出すように、上吹出口フラップ２３０Ｕ、右吹出口フラップ２３０Ｒ、及び左吹出口フラップ２３０Ｌの向きを調整する。このように吹出口フラップ２３０が制御されることで、上吹出口２１０Ｕ、右吹出口２１０Ｒ及び左吹出口２１０Ｌから空気が吹き出される（図９参照）。そして、空調対象空間Ｓ１には、図６の空調対象空間Ｓ１の平面図及び図７の空調対象空間Ｓ１の側面図に矢印で示したような、空調対象空間Ｓ１を包み込む気流が生成される。
【００９８】
＜暖房運転＞
操作スイッチ（図示せず）等からの指示によって暖房運転の指示がなされると、制御装置９０は、空気調和装置１の運転状態が第２運転状態になるように流向切換機構３０を制御する（図３の流向切換機構３０中の破線参照）。また、制御装置９０は、温度センサの計測値等に基づいて、圧縮機２０、熱源側ファン６０及び利用側ファン７０の運転を開始し、圧縮機２０、膨張機構８０、熱源側ファン６０及び利用側ファン７０の動作を適宜制御する。また、制御装置９０は、第２ユニット２００側の機器（上吹出口フラップ２３０Ｕ、下吹出口フラップ２３０Ｄ、右吹出口フラップ２３０Ｒ、左吹出口フラップ２３０Ｌ、吸込口フラップ２４０）についても制御する。制御装置９０による第２ユニット２００側の機器の制御及び第２ユニット２００周りの空気の動きについては後述する。
【００９９】
以上のように空気調和装置１の動作が制御される結果、冷媒回路１０内の冷凍サイクルにおける低圧のガス冷媒は、圧縮機２０に吸入されて圧縮され、冷凍サイクルにおける高圧のガス冷媒となる。圧縮機２０で圧縮されたガス冷媒は、流向切換機構３０を通じて利用側熱交換器５０に送られる。利用側熱交換器５０に送られた冷凍サイクルにおける高圧のガス冷媒は、凝縮器として機能する利用側熱交換器５０において、利用側ファン７０によって供給される空調対象空間Ｓ１の空気と熱交換を行って冷却されて凝縮し、高圧の液冷媒となる。一方、凝縮器として機能する利用側熱交換器５０で加熱された空調対象空間Ｓ１の空気は、第２ユニット２００の本体２７０の吹出口２１０から吹き出す。利用側熱交換器５０で凝縮した液冷媒は、膨張機構８０で減圧されて膨張し、熱源側熱交換器４０に送られる。熱源側熱交換器４０に送られた低圧の気液二相状態の冷媒は、蒸発器として機能する熱源側熱交換器４０において、熱源側ファン６０によって供給される第１ユニット設置空間Ｓ２の空気と熱交換を行って蒸発し、低圧のガス冷媒となる。低圧のガス冷媒は、第１ガス連絡配管１０ｃ及び吸入管１０ａを通じて圧縮機２０に送られ、圧縮機２０に再び吸入される。一方、蒸発器として機能する熱源側熱交換器４０で冷却された空気は、ケーシング１１０に形成された熱源側吹出口１１０ｂから第１ユニット設置空間Ｓ２へと排出される。
【０１００】
次に、制御装置９０による第２ユニット２００側の機器の制御及び第２ユニット２００周りの空気の動きについてについて説明する。
【０１０１】
例えば、制御装置９０は、上吹出口フラップ２３０Ｕ、下吹出口フラップ２３０Ｄ、右吹出口フラップ２３０Ｒ、及び左吹出口フラップ２３０Ｌを開き、上吹出口２１０Ｕ、下吹出口２１０Ｄ、右吹出口２１０Ｒ及び左吹出口２１０Ｌから適切な方向に空気が吹き出すように、上吹出口フラップ２３０Ｕ、下吹出口フラップ２３０Ｄ、右吹出口フラップ２３０Ｒ、及び左吹出口フラップ２３０Ｌの向き（フラップの角度）を調整する。また、制御装置９０は、吸込口フラップ２４０を開く。
【０１０２】
好ましくは、暖房運転時には、制御装置９０は、下吹出口フラップ２３０Ｄ、右吹出口フラップ２３０Ｒ、及び左吹出口フラップ２３０Ｌを開き、下吹出口２１０Ｄ、右吹出口２１０Ｒ及び左吹出口２１０Ｌから適切な方向に空気が吹き出すように、下吹出口フラップ２３０Ｄ、右吹出口フラップ２３０Ｒ、及び左吹出口フラップ２３０Ｌの向きを調整する。また、制御装置９０は、上吹出口フラップ２３０Ｕを閉じる（開かない）。つまり、空気調和装置１が暖房運転モードで運転を行う時には、吹出停止機構としての上吹出口フラップ２３０Ｕは、上方向に空気を吹き出す上吹出口２１０Ｕからの空気の吹き出しを停止することが好ましい。
【０１０３】
このように吹出口フラップ２３０が制御されることで、下吹出口２１０Ｄ、右吹出口２１０Ｒ及び左吹出口２１０Ｌから空気が吹き出される（図１０参照）。そして、空調対象空間Ｓ１には、図６の空調対象空間Ｓ１の平面図及び図８の空調対象空間Ｓ１の側面図に矢印で示したような、空調対象空間Ｓ１を包み込む気流が生成される。
【０１０４】
また、制御装置９０は、吸込停止機構の一例としての吸込口フラップ２４０を閉じ（開かず）、上吸込口２２０Ｕからの空気の吸い込みを停止することが好ましい。上吸込口２２０Ｕは、第１吸込口の一例であり、第２吹出口の一例としての下吹出口２１０Ｄの近傍に配置される吸込口である。図５のように、上吸込口２２０Ｕは、下吹出口２１０Ｄの下方に配置される。なお、第１吸込口の一例としての上吸込口２２０Ｕが、第２吹出口の一例としての下吹出口２１０Ｄに近傍して配置されるとは、第２ユニット２００が設置されている空調対象空間Ｓ１の壁Ｗに正対して本体２７０を見て、下吹出口２１０Ｄが上吸込口２２０Ｕ側に空気を吹き出したとすれば（つまり本実施形態であれば下方に空気を吹出したとすれば）、上吸込口２２０Ｕに吹出し空気の多くの空気が直接吸入される（空気のショートサーキットが生じる）距離に上吸込口２２０Ｕが配置されることを意味する。言い換えれば、空気調和装置１では、ある吹出口２１０から、その近傍の吸込口２２０（近傍吸込口と呼ぶ）の側に空気が吹き出される時には、近傍吸込口に設置された吸込口フラップ２４０を閉じて、近傍吸込口からの空気の吸い込みを停止することが好ましい。空気調和装置１が暖房運転モードで運転を行う時には、第２ユニット２００の本体２７０への空気の吸い込みは、上吸込口２２０Ｕ以外の吸込口（下吸込口２２０Ｄ、右吸込口２２０Ｒ、及び左吸込口２２０Ｌ）から行われる。
【０１０５】
（３）特徴
（３−１）
本実施形態の空気調和装置１は、冷媒回路１０と、熱源側ファン６０と、利用側ファン７０と、ケーシング１１０と、を有する、空調対象空間Ｓ１の外に配置される第１ユニット１００を備える。冷媒回路１０は、圧縮機２０、熱源側熱交換器４０、及び利用側熱交換器５０を含む。熱源側ファン６０は、熱源側熱交換器４０を通過する気流を生成する。利用側ファン７０は、利用側熱交換器５０を通過する気流を生成する。ケーシング１１０は、冷媒回路１０、熱源側ファン６０及び利用側ファン７０を収容する。空気調和装置１は、空調対象空間Ｓ１の空気の吸込口２２０と空調対象空間Ｓ１への空気の吹出口２１０とが形成されている本体２７０を有し、空調対象空間Ｓ１の壁に設置される第２ユニット２００を備える。空調対象空間Ｓ１の空気の吸込口２２０は、利用側ファン７０の生成する気流の方向における利用側熱交換器５０の風上側の空間Ａ１と連通する。空調対象空間Ｓ１への空気の吹出口２１０は、利用側ファン７０の生成する気流の方向における利用側熱交換器５０の風下側の空間Ａ２と連通する。
【０１０６】
第２ユニット２００の本体２７０の吹出口２１０は、第２ユニット２００が設置されている空調対象空間Ｓ１の壁Ｗに正対して本体２７０を見た時に、上下左右の４方向のうち少なくとも２方向に空気が吹き出されるように形成されている。好ましくは、第２ユニット２００の本体２７０の吹出口２１０は、第２ユニット２００が設置されている空調対象空間Ｓ１の壁Ｗに正対して本体２７０を見た時に、上下左右の４方向のうち少なくとも３方向に空気が吹き出されるように形成されている。
【０１０７】
なお、本実施形態では、本体２７０には、吹出口２１０として、下吹出口２１０Ｄ、左吹出口２１０Ｌ、右吹出口２１０Ｒ及び上吹出口２１０Ｕが形成されている。そして、第２ユニット２００の本体２７０の吹出口２１０は、第２ユニット２００が設置されている空調対象空間Ｓ１の壁Ｗに正対して本体２７０を見た時に、上下左右の４方向に空気が吹き出されるように（上下左右の４方向に空気を吹き出し可能に）形成されている。
【０１０８】
本空気調和装置１では、第２ユニット２００から１方向にだけ空気を吹き出す場合に比べて、広い領域をカバー可能な空気の流れを空調対象空間Ｓ１内に作り出すことができる。そのため、本空気調和装置１は、広い空調対象空間Ｓ１であっても効率よく空気調和を行うことが可能である。
【０１０９】
なお、空気調和装置１では、第２ユニット２００の本体２７０の吹出口２１０が、少なくとも上方向及び下方向に空気が吹き出されるように形成されることが好ましい。つまり、第２ユニット２００の本体２７０の吹出口２１０には、上吹出口２１０Ｕ及び下吹出口２１０Ｄが含まれることが好ましい。このように構成されることで、上方向にも下方向にも空気を吹き出すことができるため、冷房運転時であっても、暖房運転時であっても、空調対象空間Ｓ１の空気調和を効率よく行うことができる。
【０１１０】
ただし、このような態様に限定されるものではなく、本体２７０には、吹出口２１０として、右吹出口２１０Ｒ及び左吹出口２１０Ｌだけが形成されてもよい。このように構成されることで、図６のような空調対象空間Ｓ１を包み込むような空気の流れを生成することができる。
【０１１１】
なお、空気調和装置１が冷房／除湿運転だけを行う装置である場合には、本体２７０には、吹出口２１０として、上吹出口２１０Ｕ、右吹出口２１０Ｒ及び左吹出口２１０Ｌが形成されることが好ましい。また、空気調和装置１が暖房運転だけを行う装置である場合には、本体２７０には、吹出口２１０として、下吹出口２１０Ｄ、右吹出口２１０Ｒ及び左吹出口２１０Ｌが形成されることが好ましい。
【０１１２】
（３−２）
本実施形態の空気調和装置１では、第２ユニット２００の本体２７０の吹出口２１０は、本体２７０の少なくとも２つの側面に形成されている。上記実施形態では、吹出口２１０は、本体２７０の上面、右側面、左側面及び前面の４つの側面に形成されている。
【０１１３】
本空気調和装置１では、第２ユニット２００の本体２７０の２つ以上の側面から空気を吹き出すことができるので、利用側熱交換器５０を通過した空気により、空調対象空間Ｓ１を包み込むような気流を生成することが容易である。そのため、本空気調和装置１では、広い空調対象空間Ｓ１であっても効率よく空気調和を行うことができる。
【０１１４】
（３−３）
本実施形態の空気調和装置１では、第２ユニット２００の本体２７０の吸込口２２０は、第２ユニット２００が設置されている空調対象空間Ｓ１の壁Ｗに正対して本体２７０を見た時に、上下左右の４方向のうち少なくとも２方向から本体２７０に空気が吸い込まれるように形成されている。
【０１１５】
なお、本実施形態では、本体２７０には、吸込口２２０として、下吸込口２２０Ｄ、左吸込口２２０Ｌ、右吸込口２２０Ｒ及び上吸込口２２０Ｕが形成されている。そして、第２ユニット２００の本体２７０の吸込口２２０は、第２ユニット２００が設置されている空調対象空間Ｓ１の壁Ｗに正対して本体２７０を見た時に、上下左右の４方向から本体２７０に空気が吸い込まれるように形成されている。なお、上吸込口２２０Ｕは、上方からではなく、前方から本体２７０に空気が吸い込まれるように形成されてもよい。
【０１１６】
本実施形態の空気調和装置１では、第２ユニット２００に２方向以上から空気が吸い込まれるので、空調対象空間Ｓ１内を効率よく空気調和するのに適した気流を空調対象空間Ｓ１内に生成することができる。
【０１１７】
（３−４）
本実施形態の空気調和装置１は、少なくとも空調対象空間Ｓ１の冷房を行う冷房運転モードを運転モードとして有する。第２ユニット２００の本体２７０の吹出口２１０は、下方向に空気を吹き出す第１吹出口の一例として下吹出口２１０Ｄを含む。第２ユニット２００は、下吹出口２１０Ｄからの空気の吹き出しを停止する第１吹出停止機構の一例としての下吹出口フラップ２３０Ｄを有する。空気調和装置１が冷房運転モードで運転を行う時に、下吹出口フラップ２３０Ｄは、下吹出口２１０Ｄからの空気の吹き出しを停止する。
【０１１８】
本実施形態の空気調和装置１では、冷却された空気を空調対象空間Ｓ１に吹き出す冷房運転時には下吹出口２１０Ｄからの下向きの空気の吹き出しが停止されるため、空調対象空間Ｓ１の冷房を効率よく行うことができる。
【０１１９】
（３−５）
本実施形態の空気調和装置１では、第２ユニット２００の本体２７０の吹出口２１０には、下方向に空気を吹き出す第２吹出口の一例としての下吹出口２１０Ｄを含む。第２ユニット２００の本体２７０の吸込口２２０には、下吹出口２１０Ｄの近傍に配置される第１吸込口の一例としての上吸込口２２０Ｕを含む。なお、第１吸込口（本実施形態では上吸込口２２０Ｕ）が、第２吹出口（本実施形態では下吹出口２１０Ｄ）に近傍して配置されるとは、第２ユニット２００が設置されている空調対象空間Ｓ１の壁Ｗに正対して本体２７０を見て、第２吹出口が第１吸込口側に空気を吹き出したとすれば、第１吸込口に吹出し空気の多くの空気が直接吸入される（空気のショートサーキットが生じる）距離に第１吸込口が配置されることを意味する。下吹出口２１０Ｄが、第２ユニット２００が設置されている空調対象空間Ｓ１の壁Ｗに正対して本体２７０を見て、上吸込口２２０Ｕ側に空気を吹き出す時に、吸込口フラップ２４０は、上吸込口２２０Ｕからの空気の吸い込みを停止する。
【０１２０】
本実施形態の空気調和装置１では、下吹出口２１０Ｄから空気を空気調和に適した気流を生成する時に（本実施形態では下方に空気を吹き出して暖房運転に適した気流を生成する時に）、下吹出口２１０Ｄの近傍に配置される上吸込口２２０Ｕに温風が吸い込まれる結果（空気のショートサーキットが起こる結果）、空気調和装置１の運転効率が低下することを抑制することができる。
【０１２１】
（４）変形例
以下に、上記実施形態の変形例を示す。なお、１の変形例の一部又は全部は、他の変形例の一部又は全部と互いに矛盾しない範囲で組み合わせて適用されてもよい。
【０１２２】
（４−１）変形例Ａ
上記実施形態では、第２ユニット２００の本体２７０の上面、右側面、左側面及び前面に吹出口２１０が形成されるが、このような態様に限定されるものではない。例えば、吹出口２１０は、これらのうちの２面、例えば、第２ユニット２００の本体２７０の上面及び前面、又は、第２ユニット２００の本体２７０の右側面及び左側面に形成されてもよい。また、例えば、吹出口２１０は、これらのうちの３面、例えば、第２ユニット２００の本体２７０の上面、右側面及び左側面、又は、第２ユニット２００の本体２７０の前面、右側面及び左側面に形成されてもよい。
【０１２３】
同様に、上記実施形態では、第２ユニット２００の本体２７０の下面、右側面、左側面及び前面に吸込口２２０が形成されるが、このような態様に限定されるものではない。例えば、吸込口２２０は、これらのうちの２面、例えば、第２ユニット２００の本体２７０の右側面及び左側面に形成されてもよい。また、例えば、吸込口２２０は、これらのうちの３面、例えば、第２ユニット２００の本体２７０の下面、右側面及び左側面に形成されてもよい。
【０１２４】
（４−２）変形例Ｂ
上記実施形態では、第２ユニット２００の本体２７０の上面、右側面、左側面及び前面にそれぞれ独立した吹出口２１０が１つ形成されるが、このような態様に限定されるものではない。例えば、第２ユニット２００の本体２７０には、互いに独立した左吹出口２１０Ｌ、右吹出口２１０Ｒ及び上吹出口２１０Ｕに変えて、本体２７０の右側面、上面、左側面にわたって形成された１つの吹出口２１０Ａが形成されてもよい（図１１参照）。
【０１２５】
また、第２ユニット２００の本体２７０の各側面に形成される吹出口２１０の数は複数であってもよい。
【０１２６】
同様に、第２ユニット２００の本体２７０には、互いに独立した左吸込口２２０Ｌ、右吸込口２２０Ｒ及び下吸込口２２０Ｄに変えて、本体２７０の右側面、下面、左側面にわたって形成された１つの吸込口２２０Ａが形成されてもよい（図１１参照）。
【０１２７】
また、第２ユニット２００の本体２７０の各側面に形成される吸込口２２０の数は複数であってもよい。
【０１２８】
（４−３）変形例Ｃ
上記実施形態では、第２ユニット２００の本体２７０の上面に形成された上吹出口２１０Ｕから上方向に、右側面に形成された右吹出口２１０Ｒから右方向に、左側面に形成された左吹出口２１０Ｌから左方向に、前面に形成された下吹出口２１０Ｄから下方向に空気を吹き出すが、このような態様に限定されるものではない。例えば、第２ユニット２００の本体２７０の前面にのみ形成された１又は複数の吹出口から、上下左右の４方向のうち少なくとも２方向、好ましくは少なくとも３方向に空気が吹き出されてもよい。
【０１２９】
（４−４）変形例Ｄ
上記実施形態では、空気調和装置１の運転モードに併せて、制御装置９０が吹出口フラップ２３０及び吸込口フラップ２４０の動作を制御するが、このような態様に限定されるものではない。例えば、吹出口フラップ２３０及び吸込口フラップ２４０は、手動のフラップであってもよい。
【０１３０】
（４−５）変形例Ｅ
空気調和装置１は、更に以下の様に構成されてもよい。
【０１３１】
空気調和装置１では、第２ユニット２００の本体２７０の吹出口２１０には、第２ユニット２００が設置されている空調対象空間Ｓ１の壁Ｗに正対して本体２７０を見た時に、右方向に空気を吹き出す第３吹出口の一例としての右吹出口２１０Ｒと、左方向に空気を吹き出す第４吹出口の一例としての左吹出口２１０Ｌと、を含む。第２ユニット２００は、右吹出口２１０Ｒからの空気の吹き出しを停止する第２吹出停止機構の一例としての右吹出口フラップ２３０Ｒと、左吹出口２１０Ｌからの空気の吹き出しを停止する第３吹出停止機構の一例としての左吹出口フラップ２３０Ｌと、を有する。
【０１３２】
右吹出口フラップ２３０Ｒは、第２ユニット２００が設置されている空調対象空間Ｓ１の壁Ｗに正対して本体２７０を見た時に、本体２７０の右側に、本体２７０と隣接して、第２ユニット２００が設置されている空調対象空間Ｓ１の壁Ｗと交差する右側壁ＷＲが存在する場合に、右吹出口２１０Ｒからの空気の吹き出しを停止する（図１２参照）。
【０１３３】
左吹出口フラップ２３０Ｌは、第２ユニット２００が設置されている空調対象空間Ｓ１の壁Ｗに正対して本体２７０を見た時に、本体２７０の左側に、本体２７０と隣接して、第２ユニット２００が設置されている空調対象空間Ｓ１の壁Ｗと交差する左側壁ＷＬが存在する場合に、左吹出口２１０Ｌからの空気の吹き出しを停止する（図１３参照）。
【０１３４】
具体的には、制御装置９０は、例えば図示しないカメラ等で空調対象空間Ｓ１を撮影した結果に基づき、上記のように右吹出口フラップ２３０Ｒや左吹出口フラップ２３０Ｌの開閉を操作する。また、制御装置９０は、例えば図示しないセンサ等で本体２７０の左右に隣接して壁が存在するか否かを検知した結果に基づき、上記のように右吹出口フラップ２３０Ｒや左吹出口フラップ２３０Ｌの開閉を操作する。また、他の態様では、制御装置９０は、空気調和装置１のユーザ等により図示しない操作装置に入力される、本体２７０の左右に隣接して壁が存在するか否かの条件に基づき、上記のように右吹出口フラップ２３０Ｒや左吹出口フラップ２３０Ｌの開閉を操作する。また、他の態様では、ユーザが手動で、上記のように右吹出口フラップ２３０Ｒや左吹出口フラップ２３０Ｌの開閉を操作することが可能に構成されていてもよい。
【０１３５】
なお、ここで、本体２７０と右側壁ＷＲ／左側壁ＷＬが隣接しているとは、右側／左側に空気を吹き出しても図６に示したような空気の流れの生成に寄与できない程度にしか本体２７０と右側壁ＷＲ／左側壁ＷＬとの距離が離れていないことを意味する。本体２７０と右側壁ＷＲ／左側壁ＷＬが隣接していると判断される距離をどの程度にするかは、空気調和装置１の利用側ファン７０の風量等に応じて適宜設計されればよい。
【０１３６】
（４−６）変形例Ｆ
上記実施形態では、吹出停止機構は吹出口フラップ２３０であるが、これに限定されるものではない。吹出停止機構は、第１ユニット１００から第２ユニット２００の本体２７０の吹出口２１０Ｕ，２１０Ｒ，２１０Ｌ，２１０Ｄへと繋がる空気の流路に設けられたダンパ等であってもよい。
【０１３７】
また、同様に、上記実施形態では、吸込停止機構は吸込口フラップ２４０であるが、これに限定されるものではない。吸込停止機構は、第２ユニット２００の本体２７０の吹出口２１０（上記実施形態では上吸込口２２０Ｕ）から第１ユニット１００へと繋がる空気の流路に設けられたダンパ等であってもよい。
【０１３８】
（４−７）変形例Ｇ
上記実施形態では、本体２７０の上部空間Ｃ１が空調対象空間Ｓ１へと吹き出される空気が流れる空間であり、本体２７０の上部側に吹出口２１０が形成される。また、上記実施形態では、本体２７０の下部空間Ｃ２が空調対象空間Ｓ１から吸い込まれる空気が流れる空間であり、本体２７０の下部側に吸込口２２０が形成される。ただし、このような形態に限定されるものではない。
【０１３９】
例えば、図１４のように、第２ユニット２００’の本体２７０’の上部空間Ｃ１が空調対象空間Ｓ１から吸い込まれる空気が流れる空間であって、本体２７０’の上部側に吸込口２２０’が形成されてもよい。また、本体２７０’の下部空間Ｃ２が空調対象空間Ｓ１へと吹き出される空気が流れる空間であり、本体２７０’の下部側に吹出口２１０’が形成されてもよい。図１４の第２ユニット２００’では、上吹出口２１０Ｕ’は本体２７０’の前面に、右吹出口２１０Ｒ’は本体２７０’の右側面に、左吹出口２１０Ｌ’は本体２７０’の左側面に、下吹出口２１０Ｄ’は本体２７０’の下面にそれぞれ形成される。また、図１４の第２ユニット２００’では、上吸込口２２０Ｕ’は本体２７０’の上面に、右吸込口２２０Ｒ’は本体２７０’の右側面に、左吸込口２２０Ｌ’は本体２７０’の左側面に、下吸込口２２０Ｄ’は本体２７０’の前面にそれぞれ形成される。上記実施形態と同様に、上吹出口２１０Ｕ’、右吹出口２１０Ｒ’、左吹出口２１０Ｌ’及び下吹出口２１０Ｄ’には、好ましくは吹出口フラップ２３０が配置される。また、図１４の第２ユニット２００では、上吸込口２２０Ｕではなく、下吸込口２２０Ｄに吸込口フラップ２４０が配置される。
【０１４０】
また、他の態様では、図１５のように、第２ユニット２００”の本体２７０”は、左右方向に仕切られ、本体２７０”の左右方向の一方側（図１５中では左側）に吹出口２１０”が形成され、本体２７０”の左右方向の他方側（図１５中では右側）に吸込口２２０”が形成されてもよい。図１５の第２ユニット２００”では、上吹出口２１０Ｕ”は本体２７０”の上面に、右吹出口２１０Ｒ”は本体２７０”の前面に、左吹出口２１０Ｌ”は本体２７０”の左側面に、下吹出口２１０Ｄ”は本体２７０”の下面にそれぞれ形成される。また、図１５の第２ユニット２００”では、上吸込口２２０Ｕ”は本体２７０”の上面に、右吸込口２２０Ｒ”は本体２７０”の右側面に、下吸込口２２０Ｄ”は本体２７０”の下面にそれぞれ形成される。なお、図１５の第２ユニット２００”では、右吹出口２１０Ｒ”から吹き出した空気が、吸込口２２０”から吸い込まれることを避けるため、本体の２７０”の前面に左吸込口は形成されない。また、吸込口フラップ２４０は省略される。上記実施形態と同様に、上吹出口２１０Ｕ”、右吹出口２１０Ｒ”、左吹出口２１０Ｌ”及び下吹出口２１０Ｄ”には、好ましくは吹出口フラップ２３０が配置される。
【０１４１】
第２ユニットが図１４や図１５のような構成を取る場合には、これに応じて第１ユニット１００の機器の配置等は適宜変更されればよい。
【０１４２】
なお、第２ユニット２００’が図１４のような構成を取る場合には、空気調和装置１が冷房運転モードで運転される時には、下吹出口フラップ２３０Ｄは、下吹出口２１０Ｄ’からの空気の吹き出しを停止するように制御装置９０により制御されることが好ましい。
【０１４３】
また、空気調和装置１が冷房運転モードで運転される時には、制御装置９０は、吸込口フラップ２４０を閉じて、上吹出口２１０Ｕ’の近傍に配置される下吸込口２２０Ｄ’からの空気の吸い込みを停止することが好ましい。ここでは、上吹出口２１０Ｕ’は第２吹出口の一例であり、下吸込口２２０Ｄ’は第１吸込口の一例であり、吸込口フラップ２４０は吸込停止機構の一例である。これにより、上吹出口２１０Ｕ’から下吸込口２２０Ｄ’への空気のショートサーキットを抑制することができる。つまり、好ましい態様では、空気調和装置１が冷房運転モードで運転される時には、第２ユニット２００’において、図１６中の矢印のように、上吹出口２１０Ｕ’、右吹出口２１０Ｒ’、左吹出口２１０Ｌ’から空気が吹き出され、上吸込口２２０Ｕ’、右吸込口２２０Ｒ’、左吸込口２２０Ｌ’から空気が吸い込まれる。
【０１４４】
また、第２ユニット２００’が図１４のような構成を取る場合には、空気調和装置１が暖房運転モードで運転される時には、上吹出口フラップ２３０Ｕは、上吹出口２１０Ｕ’
からの空気の吹き出しを停止し、他の吹出口２１０Ｒ’，２１０Ｌ’，２１０Ｄ’から空気が吹き出されることが好ましい。
【０１４５】
また、第２ユニット２００”が図１５のような構成を取る場合には、空気調和装置１が冷房運転モードで運転される時には、下吹出口フラップ２３０Ｄは、下吹出口２１０Ｄ”からの空気の吹き出しを停止するように制御装置９０により制御され、本体２７０”は他の吹出口２１０Ｕ”，２１０Ｒ”，２１０Ｌ”から空気を吹き出すことが好ましい。
【０１４６】
また、第２ユニット２００”が図１５のような構成を取る場合には、空気調和装置１が暖房運転モードで運転される時には、上吹出口フラップ２３０Ｕは、上吹出口２１０Ｕ”からの空気の吹き出しを停止するように制御装置９０により制御され、本体２７０”は他の吹出口２１０Ｒ”，２１０Ｌ”， ２１０Ｄ”から空気を吹き出すことが好ましい。
【０１４７】
（４−８）変形例Ｈ
上記実施形態の空気調和装置１では、第２ユニット２００の本体２７０の吸込口２２０は、第２ユニット２００が設置されている空調対象空間Ｓ１の壁Ｗに正対して本体２７０を見た時に、上下左右の４方向のうち少なくとも２方向から本体２７０に空気が吸い込まれるように形成されている。
【０１４８】
ただし、これに限定されるものではなく、第２ユニット２００の本体２７０の吸込口２２０は、第２ユニット２００が設置されている空調対象空間Ｓ１の壁Ｗに正対して本体２７０を見た時に、上下左右の４方向のうち１方向からだけ（例えば下方からだけ）本体２７０に空気が吸い込まれるように形成されてもよい。
【０１４９】
また、第２ユニット２００の本体２７０の吸込口２２０は、第２ユニット２００が設置されている空調対象空間Ｓ１の壁Ｗに正対して本体２７０を見た時に、前方側（正面側）からだけ本体２７０に空気が吸い込まれるように形成されてもよい。
【０１５０】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１５１】
１  空気調和装置
１０  冷媒回路
２０  圧縮機
４０  熱源側熱交換器
５０  利用側熱交換器
６０  熱源側ファン
７０  利用側ファン
１００  第１ユニット
１１０  ケーシング
２００，２００’，２００”  第２ユニット
２１０，２１０’，２１０”  吹出口
２１０Ｄ  下吹出口（吹出口、第１吹出口，第２吹出口）
２１０Ｄ’，２１０Ｄ”  下吹出口（吹出口、第１吹出口）
２１０Ｌ  左吹出口（吹出口、第４吹出口）
２１０Ｒ  右吹出口（吹出口、第３吹出口）
２１０Ｕ’  上吹出口（吹出口、第２吹出口）
２２０，２２０’，２２０”  吸込口
２２０Ｄ’  下吸込口（吸込口、第１吸込口）
２２０Ｕ  上吸込口（吸込口、第１吸込口）
２３０Ｄ  下吹出口フラップ（第１吹出停止機構）
２３０Ｌ  左吹出口フラップ（第３吹出停止機構）
２３０Ｒ  右吹出口フラップ（第２吹出停止機構）
２４０  吸込口フラップ（吸込停止機構）
２７０，２７０’，２７０”  本体
Ａ１  風上側の空間
Ａ２  風下側の空間
Ｓ１  空調対象空間
Ｗ  第２ユニットが設置されている空調対象空間の壁
ＷＬ  左側壁
ＷＲ  右側壁
【先行技術文献】
【特許文献】
【０１５２】
【特許文献１】特開２０００−１４６２８３号公報
【図１】
2020063860.tif 000003
【図２】
2020063860.tif 000004
【図３】
2020063860.tif 000005
【図４】
2020063860.tif 000006
【図５】
2020063860.tif 000007
【図６】
2020063860.tif 000008
【図７】
2020063860.tif 000009
【図８】
2020063860.tif 000010
【図９】
2020063860.tif 000011
【図１０】
2020063860.tif 000012
【図１１】
2020063860.tif 000013
【図１２】
2020063860.tif 000014
【図１３】
2020063860.tif 000015
【図１４】
2020063860.tif 000016
【図１５】
2020063860.tif 000017
【図１６】
2020063860.tif 000018